(57)【要約】      （修正有）【課題】タッチパネルに対して使用できるタッチパネル用ディバイダを提供する。【解決手段】２つの脚体２１を有するコンパス状のディバイダ本体２と、ディバイダ本体２の両脚体２１の先端に設けられ、タッチパネルに接触するとタッチパネルが反応するタッチ部３と、を備える。【選択図】図１
2018151811.tif 000002
【特許請求の範囲】
【請求項１】
２つの脚体を有するコンパス状のディバイダ本体と、
前記ディバイダ本体の両脚体の先端に設けられ、タッチパネルに接触すると前記タッチパネルが反応するタッチ部と、
を備えることを特徴とするタッチパネル用ディバイダ。
【請求項２】
前記タッチパネルは、電子海図を表示する電子海図ディスプレイである、
ことを特徴とする請求項１に記載のタッチパネル用ディバイダ。
【請求項３】
請求項１または２のいずれか１項に記載のタッチパネル用ディバイダとタッチパネルとを備えたタッチパネルユニットであり、
前記タッチパネル用ディバイダの両タッチ部が前記タッチパネルに接触すると、前記タッチパネルは、表示の縮尺に応じた前記タッチ部間の距離や方位を演算して表示する、
ことを特徴とするタッチパネルユニット。
【発明の詳細な説明】
【技術分野】
【０００１】
本発明は、電子海図などで距離や方位などを知得するのに使用されるタッチパネル用ディバイダと、これを備えたタッチパネルユニットに関する。
【背景技術】
【０００２】
船舶の航行に際して従来は紙製の海図が使用されていたが、近年は電子海図が普及し始め、電子海図を用いて航路計画を行える装置も知られている（例えば、特許文献１参照。）。この電子海図装置は、電子海図上に変針点を順次設定することにより航路設定する航路計画機能を備え、先に設定した変針点から伸びる補助線の所定箇所に、該補助線に直交する方向を示すマークを表示させる。そして、操作部から入力された操作指示に基づいて、マークを物標に合わせるように補助線を操作することで、次の変針点を設定する演算処理部を備えるものである。
【先行技術文献】
【特許文献】
【０００３】
【特許文献１】特開２００３−０３５５５６号公報
【発明の概要】
【発明が解決しようとする課題】
【０００４】
ところで、従来、紙製の海図を使用する場合、文房具のコンパス状で両脚体の先端が針状のディバイダを用いて、距離の計測・算出などを行っていた。すなわち、まず、海図上のスケールバー・緯度目盛り（縮尺を表した目盛り）などを使用して、ディバイダの先端間の長さを所定長に設定する。次に、計測対象の始点にディバイダの一方の脚体の先端を当て、他方の脚体の先端を計測線上に当てる。続いて、他方の脚体の先端を中心にディバイダを回転させて、一方の脚体の先端を次の計測線上に当てる、という操作を繰り返す。そして、ディバイダが跨いだ数と残りの長さによって、距離を計測するものである。
【０００５】
そして、このようなディバイダを電子海図でも使用できれば、従来と同じ操作、感覚で距離の計測などを行うことができる。しかしながら、電子海図はディスプレイ（液晶パネルなどの表示器）上に表示されるため、先端が針状のディバイダを使用するとディスプレイが傷付いてしまう。しかも、操作性や利便性等を向上させるために、タッチパネル式のディスプレイが今後導入されることが予測され、このようなディスプレイに対応できるディバイダの需要が見込まれる。
【０００６】
そこで本発明は、タッチパネルに対して使用できるタッチパネル用ディバイダとタッチパネルユニットを提供することを目的とする。
【課題を解決するための手段】
【０００７】
上記課題を解決するために、請求項１に記載の発明は、２つの脚体を有するコンパス状のディバイダ本体と、前記ディバイダ本体の両脚体の先端に設けられ、タッチパネルに接触すると前記タッチパネルが反応するタッチ部と、を備えることを特徴とするタッチパネル用ディバイダである。
【０００８】
この発明によれば、ディバイダ本体の両脚体を広げてタッチ部をタッチパネルに接触させると、接触点に応じてタッチパネルが反応する。
【０００９】
請求項２に記載の発明は、請求項１に記載のタッチパネル用ディバイダにおいて、前記タッチパネルは、電子海図を表示する電子海図ディスプレイである、ことを特徴とする。
【００１０】
請求項３に記載の発明は、請求項１または２のいずれか１項に記載のタッチパネル用ディバイダとタッチパネルとを備えたタッチパネルユニットであり、前記タッチパネル用ディバイダの両タッチ部が前記タッチパネルに接触すると、前記タッチパネルは、表示の縮尺に応じた前記タッチ部間の距離や方位を演算して表示する、ことを特徴とする。
【発明の効果】
【００１１】
請求項１に記載の発明によれば、コンパス状のディバイダ本体の両脚体の先端にタッチ部が設けられているため、このタッチ部でタッチパネルに接触するとタッチパネルが反応し、所定の演算処理（２点間距離の計測など）が行われる。このようにして、本タッチパネル用ディバイダをタッチパネルに対して使用することができる。しかも、従来の既存・既製のディバイダと同様なコンパス状の構造のため、従来と同じ操作、感覚で距離の計測などを行うことができる。
【００１２】
請求項２に記載の発明によれば、タッチパネルが電子海図を表示する電子海図ディスプレイであるため、この電子海図ディスプレイに対して本タッチパネル用ディバイダを使用することで、従来紙製の海図に対してディバイダを使用していたのと同じ操作、感覚で、海図上で距離の計測などを行うことができる。
【００１３】
請求項３に記載の発明によれば、タッチパネル用ディバイダの両タッチ部がタッチパネルに接触すると、表示の縮尺に応じたタッチ部間の距離や方位がタッチパネルに表示されるため、所望の２点間の実際の距離や方位を容易に知得することができる。
【図面の簡単な説明】
【００１４】
【図１】この発明の実施の形態に係るタッチパネル用ディバイダを示す正面図である。
【図２】この発明の実施の形態に係るタッチパネルユニットを示す正面図である。
【発明を実施するための形態】
【００１５】
以下、この発明を図示の実施の形態に基づいて説明する。
【００１６】
図１は、この発明の実施の形態に係るタッチパネル用ディバイダ１を示す正面図であり、図２は、この発明の実施の形態に係るタッチパネルユニッ１０を示す正面図である。このタッチパネル用ディバイダ１は、タッチパネル上で距離や方位を測ったりするのに使用されるディバイダであり、この実施の形態では、タッチパネルが電子海図１０１を表示する電子海図ディスプレイ１００である場合について、主として説明する。また、タッチパネル用ディバイダ１と電子海図ディスプレイ１００とで、タッチパネルユニット１０が構成される。
【００１７】
タッチパネル用ディバイダ１は、ディバイダ本体２とタッチ部３とを備える。ディバイダ本体２は、同じ長さの２つの脚体２１を有するコンパス状で、両脚体２１の先端間距離を変えられるようになっている。すなわち、文房具のコンパスと同様な構成で、２つの脚体２１の一端部が支持部２２において回動自在に連結され、両脚体２１を開閉させて開角度を変えることで、両脚体２１の先端間距離を自由に変えられるものである。ここで、両脚体２１の長さと開閉可能な角度は、電子海図ディスプレイ１００上の電子海図１０１に対して所定のタッチ操作を行えるように（電子海図１０１の大きさに合わせて）設定されている。また、両脚体２１は、伸縮可能な形態をとることも考えられる。さらには、後述のタッチ部３のサイズ変更、摩耗による交換のために、脱着可能な機構を有していてもよい。
【００１８】
タッチ部３は、ディバイダ本体２の両脚体２１の先端に設けられ、電子海図ディスプレイ１００に接触すると電子海図ディスプレイ１００が反応する接触部である。すなわち、略半球状で、タッチパネルが傷付かない導電性ゴムや導電性繊維、あるいは導電性樹脂などの導電性材で構成され、両脚体２１の開角度に関わらず、電子海図ディスプレイ１００に対して接触がスムーズに行えるとともに、電子海図ディスプレイ１００がより確実に接触を検知する（反応する）ように構成されている。
【００１９】
次に、このようなタッチパネル用ディバイダ１の使用方法などについて、図２に基づいて説明する。
【００２０】
ここで、電子海図ディスプレイ１００は、航路作成機能などを有する海図表示システムの表示装置を構成し、電子海図１０１などを表示するとともに、所定のモードで所定の操作（画面タッチ等）を行うと、所定の演算結果（２点間の距離等）を表示するようになっている。ここで、特定のモードで電子海図１０１上の２点をタッチ・接触すると、その２点の電子海図１０１上の位置（緯度、経度）と、海図表示の縮尺に応じた２点間の電子海図１０１上の実際の距離（例えば、海里数）と方位を演算、表示する。また、電子海図ディスプレイ１００には、表示の縮尺に応じた距離の目盛り１０２が表示されている。
【００２１】
例えば、タッチパネル用ディバイダ１を用いて航路Ｒの距離（航路長）を計測・算出する場合、まず、スケールバー１０２を用いて、タッチパネル用ディバイダ１のタッチ部３間の長さを所定長（例えば、１５海里に相当する長さ）に設定する。次に、電子海図１０１上の計測対象の始点（例えば、航路Ｒの始点）に一方のタッチ部３を当て、他方のタッチ部３を計測線上（例えば、航路Ｒの途中）に当てる。この時、各タッチ部３が接触した位置と、海図表示の縮尺に応じたタッチ部３間の距離や方位が電子海図１０１に表示される。さらに、各タッチ部３が接触した位置に円マークＰが表示され、航路Ｒに沿って計測が行われていることが確認できるようになっている。
【００２２】
続いて、他方のタッチ部３を中心にタッチパネル用ディバイダ１を回転させて、一方のタッチ部３を次の計測線上に当てると、その接触した位置と、海図表示の縮尺に応じたタッチ部３間の距離や方位が電子海図１０１に表示される。このような操作を繰り返し、タッチパネル用ディバイダ１が跨いだ数と残りの長さによって、航路Ｒの距離を計測・算出するものである。この他、Ａ地点とＢ地点の距離を知りたい場合にも、同様にしてタッチパネル用ディバイダ１を移動させる（順次跨がせる）ことで、距離や方位を知得することができる。
【００２３】
以上のように、本タッチパネル用ディバイダ１によれば、コンパス状のディバイダ本体２の両脚体２１の先端にタッチ部３が設けられているため、このタッチ部３でタッチパネルに接触するとタッチパネルが反応し、所定の演算処理（２点間距離の計測など）が行われる。このようにして、本タッチパネル用ディバイダ１をタッチパネルに対して使用することができる。しかも、従来の既存・既製のディバイダと同様なコンパス状の構造のため、従来と同じ操作、感覚で距離や方位の計測などを行うことができる。
【００２４】
また、タッチパネルが電子海図１０１を表示する電子海図ディスプレイ１００であるため、この電子海図ディスプレイ１００に対して本タッチパネル用ディバイダ１を使用することで、従来紙製の海図に対してディバイダを使用していたのと同じ操作、感覚で、海図上で距離や方位の計測などを行うことができる。
【００２５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、タッチパネルが電子海図ディスプレイ１００である場合について説明したが、その他のタッチパネルであってもよいことは勿論である。また、ディバイダ本体２の形状は、上記以外の形状であってもよいことは勿論である。
【００２６】
ところで、電子海図ディスプレイ１００と電子海図用ディバイダ１とを備えた電子海図ディスプレイユニットとして、本発明をとらえてもよい。すなわち、タッチパネル式で電子海図を表示する電子海図ディスプレイ１００と、電子海図用ディバイダ（タッチパネル用ディバイダ）１とを備え、電子海図用ディバイダ１は、２つの脚体２１を有するコンパス状のディバイダ本体２と、ディバイダ本体２の両脚体２１の先端部に設けられ、電子海図ディスプレイ１００に接触すると電子海図ディスプレイ１００が反応するタッチ部３と、を備えることを特徴とする電子海図ディスプレイユニットとする。ここで、電子海図ディスプレイ１００は、上記のように、航路作成機能などを有する海図表示システムの表示装置を構成し、所定の操作に従って所定の演算結果を表示するものである。
【００２７】
また、上記の実施の形態では、航路の距離などを計測する場合について主として説明したが、航行に要する時間を算出するのに本タッチパネル用ディバイダ１を使用してもよい。この場合、例えば、タッチパネル用ディバイダ１のタッチ部３間の長さを、単位時間当たりに進む航行距離に相当する長さに設定し、航路に沿ってタッチパネル用ディバイダ１を順次跨がせて、その跨いだ数に基づいて航行に要する時間を算出する。
【符号の説明】
【００２８】
１        タッチパネル用ディバイダ
１０      タッチパネルユニット
２        ディバイダ本体
２１      脚体
２２      支持部
３        タッチ部
１００    電子海図ディスプレイ（タッチパネル）
１０１    電子海図
１０２    スケールバー
【図１】
2018151811.tif 000003
【図２】
2018151811.tif 000004